(57)【要約】【課題】  画像処理装置は、一定時間ユーザの操作が行なわれていなかった場合、または、ユーザからの印刷要求が無かった場合に、省電力モード移行する機能を有していたが、ユーザが印刷実行の際に、復帰時間がかかってしまい、印刷に時間がかかるといった課題があった。【解決手段】  複数の上位装置のいずれかから印刷データを受信すると画像処理部を稼動させる稼動モードと、非稼動時に前記画像処理部への電力の供給を制限する省電力モードとに切換え可能な画像処理装置であって、上記画像処理部の稼動が停止して一定時間が経過すると印刷予定の有無を問い合わせる問合せ通知を生成し、該通知を上記各上位装置へ送信する通知生成の消費電力モード通知部１９と、上記各上位装置から前記問合せ通知に対する応答通知を受信すると該応答通知に基づいて上記省電力モードへ移行するか否かを判断する判断部１４とを含むことを特徴とする画像処理装置。【選択図】        図１
2009178855.tif 000002
【特許請求の範囲】
【請求項１】
複数の上位装置のいずれかから印刷データを受信すると印刷制御部を稼動させる稼動モードと、
非稼動時に前記印刷制御部への電力の供給を制限する省電力モードとに切換え可能な画像処理装置であって、
前記印刷制御部の稼動が停止して一定時間が経過すると印刷予定の有無を問い合わせる問合せ通知を生成し、該通知を前記各上位装置へ送信する通知生成の送信手段と、
前記各上位装置から前記問合せ通知に対する応答通知を受信すると該応答通知に基づいて前記省電力モードへ移行するか否かを判断する判断手段と、
を含むことを特徴とする画像処理装置。
【請求項２】
前記省電力モードには、印刷制御部の一部の電力供給を制限するパワーセーブモードと、前記印刷制御部の全体の電力供給を制限するディープスリープモードを含むことを特徴とする請求項１に記載の画像処理装置。
【請求項３】
前記応答通知から印刷予定率を抽出することを特徴とする請求項１に記載の画像処理装置。
【請求項４】
前記判断手段は、前記各上位装置から前記問合せ通知に対する応答通知を受信すると、該応答通知からの印刷予定数に基づいて前記省電力モードへ移行するか否かを判断することを特徴とする請求項１に記載の画像処理装置。
【請求項５】
前記一定時間は、接続された上位装置の数に応じて設定されることを特徴とする請求項１に記載の画像処理装置。
【請求項６】
前記上位装置からの印刷データの受信履歴情報を記憶する記憶手段を有し、
前記送信手段は、該受信履歴情報に基づいて通知する上位装置を決定することを特徴とする請求項１乃至５のいずれかに記載の画像処理装置。
【請求項７】
前記送信手段は、前記記憶手段が記憶する前記受信履歴情報から、使用頻度の高い上位装置のみに前記消費電力モードの移行連絡を通知することを特徴とする請求項６に記載の画像処理装置。
【発明の詳細な説明】
【技術分野】
【０００１】
本発明は、省電力モードを有する画像処理装置に関する。
【背景技術】
【０００２】
従来、複数のパーソナルコンピュータ（以下ＰＣ）にネットワークを介して接続されたプリンタのような画像処理装置では、電力消費を抑制するための幾つかの機能が用意されていた。例えば、画像処理装置は、一定時間ユーザの操作が行なわれていなかった場合、または、ユーザからの印刷要求が無かった場合に、画像処理装置内の定着装置のヒータをオフし、表示部の照明を消灯するといった省電力モードを有していた。
【０００３】
以下の特許文献１には、プリンタへの印字データが上位装置から一定時間供給されない場合にプリンタへの電力を制限するプリンタ消費電力制御装置について開示されている。
【特許文献１】特開平０７−２５１１７号公報
【発明の開示】
【発明が解決しようとする課題】
【０００４】
しかしながら、一定時間ユーザの操作が行なわれない場合に自動的に省電力モードに移行してしまうと、次に、ユーザが印刷を行う場合には、省電力モードから印刷が可能な稼動モードへの復帰に時間を要するために、印刷処理が完了するまで時間が長くかかるという課題があった。
【０００５】
そこで、本発明は上記問題に鑑みてなされたものであって、省電力モードを有しながら、印刷処理時間が短くて済む画像処理装置を提供することを目的とする。
【課題を解決するための手段】
【０００６】
本発明は、以上の問題を解決するために、次の構成を具備する。
＜構成１＞
本発明の画像処理装置は、複数の上位装置のいずれかから印刷データを受信すると印刷制御部を稼動させる稼動モードと、非稼動時に上記印刷制御部への電力の供給を制限する省電力モードとに切換え可能な画像処理装置であって、上記印刷制御部の稼動が停止して一定時間が経過すると印刷予定の有無を問い合わせる問合せ通知を生成し、該通知を上記各上位装置へ送信する通知生成の送信手段と、上記各上位装置から上記問合せ通知に対する応答通知を受信すると該応答通知に基づいて上記省電力モードへ移行するか否かを判断する判断手段とを有する。
【発明の効果】
【０００７】
本発明によれば、非稼動時間が一定時間を超えて、省電力モードへ移行する前に、印刷予定の有無を確認するメッセージを上位装置に通知し、上位装置の印刷予定の結果に基づいて、省電力モードへ移行するかどうかを決定するので、省電力モードを実行しつつ、印刷処理完了時間の短い画像処理装置を提供できる。
【発明を実施するための最良の形態】
【０００８】
以下、本発明の実施の概要を図面に従って説明する。
図２は、本発明による画像処理装置である印刷装置（プリンタ）を用いた印刷システムのシステム構成図である。図に示すように本システム（一例）はネットワーク８を介して本発明による印刷装置１とＰＣ２、ＰＣ３、ＰＣ４が接続されている。
かかる構成に於いて、本発明による印刷装置１は、稼動モードによる印刷処理が終了し、非稼動時間が一定時間を超えて省電力モードへ移行する前に、
（１）印刷予定の有無を確認するメッセージを各ＰＣへ通知して応答を求める。
（２）その応答結果に基づいてモード移行を実施するか否かを決定する。
このようにして、本発明による画像処理装置としての印刷装置１は、省電力を実行しつつ、印刷処理完了時間の短い画像処理の実行が可能になる。以下に上記（１）及び（２）の内容を説明するために、一例として、印刷装置１の非稼動時間が一定時間を超えて、稼動モードから省電力モードへ移行を実施するか否かを決定する動作について説明する。
【０００９】
図３は、稼動モードから省電力モードへの移行を実施するか否かを決定する動作の概略説明図である。
図には、横軸方向に並記された印刷装置１、ＰＣ２、ＰＣ３、ＰＣ４の動作内容が、縦軸方向に沿って示す経過時間に基づいて表されている。以下に時間経過に従って動作の概略について説明する。
【００１０】
（時刻Ｔ１）
非稼動時間ｔ１が経過したのを受けて、印刷装置１は、消費電力モード通知情報（後記する）をネットワーク８に接続されているＰＣ２からＰＣ４の全てのＰＣに送信する。
【００１１】
（時刻Ｔ２）
各ＰＣは、送信されてきた消費電力モード通知情報の宛先を確認する。
【００１２】
（時刻Ｔ３）
宛先に記載されたＰＣ２、ＰＣ３及びＰＣ４は、消費電力モード通知情報の受信により、各ＰＣのモニタに所定のダイアログ（後記する）が表示される。このダイアログには印刷装置１で印刷を１０分以内に行うかの回答が求められている。
【００１３】
（時刻Ｔ４）
ＰＣ２は印刷装置１に対してＹＥＳと回答する。
【００１４】
（時刻Ｔ５）
ＰＣ３は印刷装置１に対してＮＯと回答する。
【００１５】
（時刻Ｔ６）
回答制限時間ｔ２が経過（タイムアウト）する。この時点でＰＣ４は、回答していないので自動的にＮＯ回答とみなされる。
【００１６】
（時刻Ｔ７）
印刷装置１は、回答データの集計を行い印刷予定率Ｘを求める。ここでは回答３台中、ＹＥＳ回答１（Ｘ≒０．３３）となる。
【００１７】
（時刻Ｔ８）
印刷装置１は、予め定められている消費電力モード移行テーブル（後記する）及び印刷予定率Ｘに基づいて省電力モードへ移行するか否かを決定する。
【００１８】
（時刻Ｔ９）
印刷装置１は、印刷予定率が所定の値を超えていたことから省電力モードに移行せずに稼動モードを継続する。
【００１９】
以上説明したように本発明による印刷装置１によれば、省電力を実行しつつ、印刷処理完了時間の短い画像処理の実行が可能になる。かかる目的を達成するために本発明による印刷装置１は以下のように構成される。
【実施例１】
【００２０】
図１は、実施例１の印刷装置の構成のブロック図である。
図で示すように、印刷装置１は、通信部１１と、解析部１２と、第一記憶部１３と、判断部１４と、第一タイマ１５と、第二記憶部１６と、第二タイマ１７と、電力制御部１８と、消費電力モード通知部１９と、操作部２０と、第三記憶部２１と、印刷制御部２３と、第三タイマ２４とを備える。更に、操作部２０は、表示部２０１と入力部２０２とを有し、印刷制御部２３は画像処理部２３１と印刷部２３２とを有する。
【００２１】
印刷装置１には、先に述べた稼動モード、省電力モードといった消費電力が異なる複数の消費電力モードが設定されている。本発明では段階に応じて消費電力が異なる複数の消費電力モードが設定されている。
【００２２】
図４は、実施例１の消費電力モードの説明図である。
図に示すモードＮｏには、消費電力モードを分類するための番号（１〜４）が記載されている。図に示すモード名は、各消費電力モードの名称である。ここで、各モードについて図１と併せて説明する。
【００２３】
モード１は、通常稼動モードであり、図１に示す印刷装置１の印刷処理部、画像処理部、表示部は電力供給中であることを示す。通常稼動モードは、印刷実行中の状態のことを指す。
モード２は、待機モードであり、図１に示す印刷処理部、画像処理部は電力供給中であり、表示部は電力の供給を制限した省電力状態である。待機モードは、印刷作業を終えた直後の状態であり、印刷処理部、画像処理部は電力供給中であるので、印刷を開始するために上述の通常稼動モードに移行するのに時間のかからないモードである。
モード３は、パワーセーブモードであり、図１に示す印刷処理部は電力供給中であり、画像処理部は停止中であり、表示部は省電力状態である。パワーセーブモードは、上述の待機モードで非稼動時間が一定時間を超えた際に移行する省電力モードである。
パワーセーブモードは、画像処理部が停止中なことから、印刷の開始には時間の掛かるモードである。
モード４は、ディープスリープモードであり、図１に示す印刷処理部、画像処理部は停止中であり、表示部は省電力状態である。ディープスリープモードは、上述のパワーセーブモード（省電力モード）で非稼動時間が一定時間を超えた際に移行する第２の省電力モードである。ディープスリープモードは、印刷処理部、画像処理部が停止中なことから、印刷の開始には最も時間の掛かるモードである。
【００２４】
なお、図４に示す表示部動作の時間は、図１に示す入力部２０２の操作の後に、その時間、再操作がなければ印刷装置１の表示部２０１を省電力状態にすることを意味する。
【００２５】
図１に戻って、通信部１１は、印刷装置１のデータ送受信部分である。通信部１１は、ＰＣからデータを受信すると、解析部１２に送出する。通信部１１は、消費電力モード通知部１９から消費電力モード通知情報を得ると、ネットワーク８を介して、接続されたＰＣに消費電力モード通知情報を送信する。
【００２６】
ここで、消費電力モード通知部１９が生成する消費電力モード通知情報について説明する。
図５は、実施例１の消費電力モード通知情報のデータ構造の説明図である。
図６は、実施例１の消費電力モード通知情報の具体例の説明図である。
図５に示すように、消費電力モード通知情報は宛先Ｄ１、ヘッダＤ２、現在の消費電力モードＤ３、移行後の消費電力モードＤ４のデータで構成されている。
【００２７】
宛先Ｄ１には、予め第三記憶部２１に登録された宛先情報によりＰＣへの送信宛先が記されている。図６の宛先Ｄ１の欄に記載されたＰＣ２、ＰＣ３、ＰＣ４が送信宛先であることを示す。なお、接続されたＰＣ全てを送信宛先とするならば、第三記憶部２１に宛先を登録する必要がないので、入力の手間が省ける。
図６に示すヘッダＤ２には、情報のタイトルが記載され、ここでは消費電力モード通知情報を示すＰＷＲＳＡＶＥが記されている。図６に示す現在の消費電力モードＤ３には、印刷装置１の現在の消費電力モードを示す２：待機モードが記されている。図６に示す移行後の消費電力モードＤ４には、印刷装置１が、これから移行する消費電力モードを示す３：パワーセーブモードが記されている。
【００２８】
続いて、印刷装置１から送信宛先のＰＣに消費電力モード通知情報が配信された時にＰＣ画面上に表示されるダイアログについて説明する。
図７は、実施例１のダイアログ表示についての説明図である。
図に示すように、プリンタのパワーセーブのタイトルバーでメッセージが送信され、印刷装置１が消費電力モードを待機モードからパワーセーブモードへ移行するにあたって、ＰＣに対して１０分以内に印刷予定があるかどうかを伺うメッセージが記載されている。
図７の画面の下部にはそのメッセージに対してはい（Ｙ）６０１、いいえ（Ｎ）６０２の回答を応答データとして印刷装置１に送信するための釦が用意されている。また、このメッセージにはタイムアウトまでの時間が表示されており、タイムアウトに達した時点で自動的にダイアログをクローズする。なお、ユーザが、タイムアウトの時間内に回答を送信しなかった場合には、印刷装置１はそのユーザの回答をいいえ（Ｎ）６０２と判断する。
【００２９】
続いて、ＰＣが印刷装置１に送信する応答データについて説明する。
図８は、実施例１の応答データの構造の説明図である。
図９は、実施例１の応答データの具体例の説明図である。
図に示すように、応答データは、ヘッダＤ５と返答内容Ｄ６で構成される。図９に示すヘッダＤ５には、この情報のタイトルが記載され、ここでは消費電力モード通知情報を示すＰＷＲＳＡＶＥが記されている。図９に示す返答内容Ｄ６には、ＰＣからの回答結果が記されており、ＹＥＳとある。ＰＣから送信された応答データは、印刷装置１の第一記憶部１３に送信元情報と併せた応答情報として格納される。この応答情報は、解析部１２が生成する。
【００３０】
続いて、応答情報について説明する。
図１０は、実施例１の応答情報の説明図である。
図に示す、Ｎｏにはシリアル番号が付されており、応答データを送信してきた順にＰＣ名が記載される。応答にはＹＥＳ、ＮＯといった回答結果が記載されている。ここでは、ＰＣ２からはＹＥＳの回答であり、ＰＣ３、ＰＣ４からはＮＯの回答であることを示す。
即ち、３人中の１人に印刷予定があるという回答を得たことになる。印刷装置１は、ＰＣから印刷予定の回答により、消費電力モード移行テーブルを用いて移行する消費電力モードを決定する。
【００３１】
続いて、消費電力モード移行テーブルについて説明する。
図１１は、実施例１の消費電力モード移行テーブルの説明図である。
図に示すように、現在の消費電力モードには、図４で説明した消費電力モードの２と３が記載されており、ＰＣからの回答結果に応じて、次に移行する消費電力モードが記載されている。テーブル中にある印刷予定率Ｘは下記で定義される。
Ｘ＝（１０分以内に印刷装置１で印刷する予定が有るＰＣ数）／（通知ＰＣ数）
この式から、印刷予定率Ｘを計算し、図１１に示すテーブルで移行する消費電力モードを決定する。例えば、図７に示す消費電力モード通知情報をＰＣに送信し、図１０に示す回答結果が得られた場合に、印刷予定率ＸはＸ＝１／３≒０．３３となる。上記の結果と図１１のテーブルから移行する消費電力モードは２：待機モードと決定する。
なお、図１１に示す消費電力モード移行テーブルでは、現在、待機モード（モード２）で印刷予定率Ｘが０．２５＞Ｘ＞０の範囲の場合にはモード２を継続するが、例えば、パワーセーブモード（モード３）を設定し該モード３に移行するようにすれば、省電力優先のテーブルとすることができる。
【００３２】
図１に戻って、解析部１２は、通信部１１から受信したデータが印刷データか応答データかを解析する部分である。解析部１２は、受信したデータが印刷データであれば、印刷データを画像処理部２３１に送出する。また、そのとき、印刷データを受信したことを各部に通知するために印刷データ受信信号を生成し、第二タイマ１７及び電力制御部１８に供給する。また、解析部１２は、通信部１１から受け入れたデータが応答データであれば、その応答データの送信元を抽出し、応答データ、送信元情報の２つのデータから上述の応答情報を生成し、第一記憶部１３に格納する。
【００３３】
第一記憶部１３、第二記憶部１６及び第三記憶部２１は印刷装置１の各種情報が格納されたメモリである。第一記憶部１３は、解析部１２から供給された上述の応答情報が格納される。第二記憶部１６は、上述の消費電力モード移行テーブルが格納される。第三記憶部２１は、オペレータが登録する消費電力モード移行時間、応答待ち時間及び宛先情報が格納されている。ここで消費電力モード移行時間とは、待機モードからパワーセーブモード、パワーセーブモードからディープスリープモードに移行するまでの時間のことである。
応答待ち時間とは、各ＰＣに消費電力モード通知情報を送信し、各ＰＣからの応答を待つ時間のことである。宛先情報とは、消費電力モード通知情報を送信する宛先を示す情報のことである。
【００３４】
ここで、宛先情報について説明する。
図１２は、実施例１の宛先情報の説明図である。
図に示すように、宛先には予めＰＣ２、ＰＣ３及びＰＣ４が登録されており、このデータは、第三記憶部２１に格納されている。
【００３５】
図１に戻って、判断部１４は、第一記憶部１３に格納されている応答情報と、第二記憶部１６に格納されている消費電力モード移行テーブルと、電力制御部１８の出力する現在の消費電力モードとを取り込み、応答情報からＰＣの印刷予定率を算出し、算出された印刷予定率と現在の消費電力モードを消費電力モード移行テーブルと照合し、省電力モードに移行するか否かを決定する。判断部１４は、決定した消費電力モードを直ちに電力制御部１８に通知する。
【００３６】
第一タイマ１５、第二タイマ１７及び第三タイマ２４は、所定の時間を計測するためのカウントダウン方式の計時手段である。第一タイマ１５は、第三記憶部２１に格納された上述の応答待ち時間に達したか否かを計時する手段であり、消費電力モード通知部１９から時間の計時を開始するためのモード通知信号を受信するとカウントダウンを開始する。第一タイマ１５は、応答待ち時間に達してカウントダウンが完了すると応答待ち終了を判断部１４に通知する。
【００３７】
第二タイマ１７は、第三記憶部２１に格納された上述の消費電力モード移行時間に達したか否かを計時する手段であり、印刷部２３２から印刷終了の通知を受けるとカウントダウンを開始する。第二タイマ１７は、カウントダウンが完了すると消費電力モード移行時間に達したことを消費電力モード通知部１９に通知する。なお、カウントダウン中に解析部１２から印刷データ受信の通知を受けるとカウントダウンを停止し、カウンタをリセットする。再び、印刷終了の通知後に、第二タイマ１７は、カウントダウンを開始する。
【００３８】
第三タイマ２４は、表示部２０１の電力供給の制御のために、図４に示す入力待ち時間（３５秒、２５秒、１５秒）に達したか否かを計時する手段であり、表示部２０１に電力が供給されていない状態で、入力部２０２から操作検知の通知を受けるとカウントダウンを開始すると共に、表示部２０１の電力供給を行うために、電力制御部１８に操作検知を通知する。第三タイマ２４は、入力待ち時間に達してカウントダウンが完了すると、カウントダウン終了信号を電力制御部１８に出力する。なお、第三タイマ２４は、カウントダウンの途中に入力部２０２から操作検知の通知を受けるとカウントダウンを一旦停止し、カウンタをリセットし、再びカウントダウンを開始する。
【００３９】
電力制御部１８は、印刷装置１内の各部の電力供給を制御する部分である。電力制御部１８は、消費電力モードに応じて画像処理部２３１、印刷部２３２及び表示部２０１の電力供給を制御する。電力制御部１８は、消費電力モード通知部１９が消費電力モード通知情報を生成するために消費電力モード通知部１９に消費電力モードを通知する。電力制御部１８は、判断部１４が消費電力モードを決定するために、判断部１４に現在の消費電力モードを通知する。なお、電力制御部１８は、通常稼動モード以外では、表示部２０１を省電力とし、ユーザが、入力部２０２の操作を実行すると、表示パネルの照明を点灯する等の電力供給の制限を解除する。但し、その後に、ユーザが入力を完了する等で、図４に示す入力待ち時間中、入力部２０２への入力がないと電力制御部１８は、表示部２０１をあらためて省電力とする。よって、入力待ち時間を計時するために、電力制御部１８は、予め第三タイマ２４に各モードの入力待ち時間（３５秒、２５秒，１５秒）に相当するタイマ値を供給しておく。
【００４０】
消費電力モード通知部１９は、ＰＣに印刷装置の印刷予定を確認するためのメッセージを生成する部分である。消費電力モード通知部１９は、第二タイマ１７から消費電力モード移行時間に達したとの通知を受けると、電力制御部１８から現在の消費電力モードを取り込み、第三記憶部２１から宛先情報を取り込み、消費電力モード通知情報を生成する。
生成された消費電力モード通知情報は通信部１１を介して、ＰＣに送信される。なお、応答待ち時間を計時するために、消費電力モード通知部１９は、消費電力モード通知情報を通信部１１に供給する際に、第一タイマ１５にモード通知信号を出力し、第一タイマ１５に、カウントダウンを開始させる。
【００４１】
表示部２０１は、印刷装置１の紙詰まり、用紙なし等のエラーメッセージや印刷可能といった状態情報を表示する。ユーザが消費電力モード移行時間、応答待ち時間及び宛先情報を新たに登録する場合、表示部２０１は、第三記憶部２１に格納された消費電力モード移行時間、応答待ち時間及び宛先情報の値を表示させる。
【００４２】
入力部２０２は、入力キーを持ち、各種情報の入力操作や消去操作等を行う部分である。
ユーザは、入力キーを操作して消費電力モード移行時間、応答待ち時間及び宛先情報の登録を行う。また、入力部２０２は、印刷装置１が非稼動時にユーザが入力キーを操作した時には操作検知信号を第三タイマ２４に出力する。
【００４３】
画像処理部２３１は、解析部１２から受け入れた印刷データを編集し、中間データを作成し、この中間データを展開してラスターデータを生成する部分である。ラスターデータは、画像データの一種で、位置情報と数値情報で構成される。生成されたラスターデータは、印刷部２３２に送出される。印刷部２３２は、上述の画像処理部２３１から受け入れたラスターデータの印刷機能を有する。印刷部２３２は、印刷が終了すると、印刷終了信号を第二タイマ１７に出力する。
【００４４】
次に、実施例１の消費電力モード移行の動作について説明する。
図１３は、実施例１の消費電力モード移行開始までの動作フローチャートである。
以下にステップＳ１からステップＳ５までをステップ順に図１を併用しながら説明する。
【００４５】
（ステップＳ１）
第二タイマ１７は、印刷部２３２からの印刷終了信号の入力で、消費電力モード移行時間のカウントダウンを開始する。
【００４６】
（ステップＳ２）
カウントダウン中に、解析部１２から印刷データ受信の通知を受けると、ステップＳ３に進み、カウントダウンが完了して消費電力モード移行時間に達した場合にはステップＳ５に進む。
【００４７】
（ステップＳ３）
第二タイマ１７は、カウントダウン中に、解析部１２から印刷データ受信の通知を受けるとカウントダウンを停止し、カウンタをリセットする。
【００４８】
（ステップＳ４）
解析部１２から画像処理部２３１に印刷データが送出され、画像処理部２３１は、受け入れた印刷データを画像データに変換し、印刷部２３２に送出する。印刷部２３２は、印刷動作を開始する。
【００４９】
（ステップＳ５）
消費電力モード移行時間が経過したので消費電力モードを移行するための処理を行う。ここで消費電力モードの移行処理について図１４を用いて説明する。なお、印刷装置１は、電源が投入されている間は、上記ステップＳ１からステップＳ５を常に繰り返し実行する。
【００５０】
図１４は、実施例１の消費電力モード移行の具体的な動作のフローチャートである。
以下にステップＳ１１からステップＳ１９までをステップ順に図１を併用しながら説明する。
【００５１】
（ステップＳ１１）
第二タイマ１７は、消費電力モード移行時間が経過したことを消費電力モード通知部１９に通知する。
【００５２】
（ステップＳ１２）
通知を受けた消費電力モード通知部１９は、電力制御部１８から現在の消費電力モードを読み込み、第三記憶部２１に格納されている宛先情報を読み込み、消費電力モード通知情報を生成し、通信部１１に送出する。
【００５３】
（ステップＳ１３）
消費電力モード通知部１９は、消費電力モード通知情報の通信部１１への送出と同時に、モード通知信号を第一タイマ１５に出力する。この信号を受けた第一タイマ１５は、応答待ち時間のカウントダウンを開始する。
【００５４】
（ステップＳ１４）
ＰＣから消費電力モード通知情報に対する応答データが時間内に送信されてくると、ステップＳ１５に進み、第一タイマ１５による応答待ち時間のカウントダウンが完了しタイムアウトになるとステップＳ１６に進む。
【００５５】
（ステップＳ１５）
解析部１２は、受信した応答データから送信元を検出し、第一記憶部１３に送信元情報と応答データを併せた応答情報を生成し第一記憶部１３に格納し、ステップＳ１４に戻る。
【００５６】
（ステップＳ１６）
応答データがタイムアウトになると、第一タイマ１５は、応答待ち終了を判断部１４に通知する。
【００５７】
（ステップＳ１７）
判断部１４は、第一記憶部１３に格納された応答情報を読み出し集計し、印刷予定率Ｘを算出する。
【００５８】
（ステップＳ１８）
判断部１４は、第二記憶部１６に格納されている消費電力移行テーブルを参照し、電力制御部１８から現在の消費電力モードを読み込み、算出された印刷予定率Ｘから移行する消費電力モードを決定する。
例えば、待機モード（モード２）の状態で、上述の算出された印刷予定率Ｘが、Ｘ＞０であれば、図１１に示す消費電力モード移行テーブルを参照すると、モード２（待機モード）を継続することになる。一方、算出された印刷予定率Ｘが、Ｘ＝０であれば、図１１に示す消費電力モード移行テーブルを参照すると、モード３（パワーセーブモード）に移行することになる。
なお、本実施例では、算出された印刷予定率Ｘから移行する消費電力モードを決定しているが、算出された印刷予定数から移行する消費電力モードを決定する構成でも構わない。
そして、判断部１４は、決定した消費電力モードを電力制御部１８に通知する。
【００５９】
（ステップＳ１９）
電力制御部１８は、決定した消費電力モードに切替え、印刷装置１内の画像処理部２３１、印刷部２３２及び表示部２０１の電力供給を制御する。
【００６０】
次に、ＰＣに送信した消費電力モード通知情報に対する応答の待ち時間の設定について説明する。
図１５は、実施例１の応答待ち時間の設定に関する動作フローチャートである。
以下にステップＳ３０からステップＳ３１までをステップ順に図１を併用しながら説明する。
【００６１】
（ステップＳ３０）
ユーザが、印刷装置１の表示部２０１に応答待ち時間を表示させるべく入力部２０２を操作することにより、第三記憶部２１に格納されている初期値の応答待ち時間を読み出し、表示させる。
【００６２】
（ステップＳ３１）
ユーザが、入力部２０２を操作することにより、例えば１５秒、３０秒等の応答待ち時間を入力し確定すると、第三記憶部２１に応答待ち時間が格納される。
【００６３】
なお、第三記憶部２１に格納されている消費電力モード移行時間、宛先情報も同様な手順で設定、登録が可能とする。
【００６４】
次に、通常稼動モード以外の時の表示部２０１に対する電力供給について説明する。
図１６は、実施例１の表示部の電力供給に関する動作フローチャートである。
以下にステップＳ３５からステップＳ４１までをステップ順に図１を併用しながら説明する。下記動作フローチャートは、待機モード、パワーセーブモード、ディープスリープモードのいずれかにおいて、表示部２０１への電力供給が制限された状態で動作する。
【００６５】
（ステップＳ３５）
入力部２０２は、ユ−ザの入力操作を待機する。入力があれば、ステップＳ３６に進む。
【００６６】
（ステップＳ３６）
入力部２０２は、ユ−ザの入力操作を検知すると、第三タイマ２４に操作検知を通知する。第三タイマ２４は、予め、電力制御部１８から消費電力モードに応じたカウンタ値がセットされており、入力操作の通知を受けてカウントダウンを開始すると同時に電力制御部１８に入力操作の検知を通知する。
【００６７】
（ステップＳ３７）
電力制御部１８は、表示部２０１の電力供給の制限を解除する。
【００６８】
（ステップＳ３８）
電力制御部１８は、第三タイマ２４がカウントダウン完了するのか、新たにユ−ザの入力操作を検知するか待機する。入力操作を検知するとステップＳ３９に進み、カウントダウンが完了するとステップＳ４０に進む。
【００６９】
（ステップＳ３９）
入力部２０２は、入力操作を検知すると、操作検知を第三タイマ２４に通知する。第三タイマ２４は、カウントダウンを停止してカウンタをリセットし、再度カウントダウンを開始する。その後、ステップＳ３８に戻る。
【００７０】
（ステップＳ４０）
第三タイマ２４は、カウントダウンが完了すると、電力制御部１８に表示部２０１の電力供給を制限するためにタイムカウント終了を通知する。
【００７１】
（ステップＳ４１）
電力制御部１８は、タイムカウント終了の通知を受けて表示部２０１の電力供給を制限する。
【００７２】
以上のように実施例１では、非稼動時間が一定時間を超えて、印刷装置が、省電力モードに移行する前に、ＰＣが、印刷装置を使用する予定があるかどうかを確認し、その結果に応じて消費電力モードを決定する構成にしたことにより、ＰＣに印刷予定があれば、現在の消費電力モードが継続されるので、印刷処理完了までの待ち時間は短くなるという効果を得る。
【実施例２】
【００７３】
本実施例では、非稼動時間が一定時間を超えて、印刷装置が、省電力モードに移行する前に、印刷予定があるかどうかを確認する時に、宛先であるＰＣを、過去の印刷実行回数、印刷総枚数、最近の印刷履歴等から選択するようにし、その回答結果によっては、例えば、省電力モードから稼動モードに移行させるようにしたので、印刷処理完了までの時間が短くなる。
【００７４】
以下に実施例１と異なる部分のみについて詳細に説明する。実施例１と同様な構成については実施例１と同一の符号を付して説明を省略する。
【００７５】
図１７は、実施例２のシステム構成図である。
図で示すように、実施例２の印刷装置９とＰＣ２、ＰＣ３、ＰＣ４、ＰＣ５、ＰＣ６及びＰＣ７は、ネットワーク８を介して接続されている。
【００７６】
次に印刷装置９の構成について説明する。
図１８は、実施例１の印刷装置の構成のブロック図である。
図で示すように、印刷装置９は、通信部１１と、解析部９１と、第一記憶部９２と、判断部１４と、第一タイマ１５と、第二記憶部１６と、第二タイマ９５と、電力制御部９４と、消費電力モード通知部９３と、操作部２０と、第三記憶部９６と、印刷制御部２３と、第三タイマ２４とを備える。
【００７７】
解析部９１は、通信部１１から受け入れたデータが印刷データか応答データなのかを解析する部分である。実施例２では、受信したデータが印刷データであれば、印刷履歴を管理するために、送信元情報と印刷枚数とを受信履歴情報として第一記憶部９２に格納することが付加された。
【００７８】
第一記憶部９２、第二記憶部１６及び第三記憶部９６は、印刷装置９の各種情報が格納されたメモリである。第一記憶部９２は、解析部９１から受け入れた応答情報と実施例２で付加された受信履歴情報とが格納される。
【００７９】
第三記憶部９６は、オペレータが登録する消費電力モード移行時間、応答待ち時間及び宛先情報と、宛先設定モード情報が格納されている。実施例２の宛先設定モード情報は、消費電力モード通知情報の宛先を決定する情報であり、例えば印刷枚数を選択すれば、過去に印刷枚数の多いユーザを宛先とする情報である。
【００８０】
消費電力モード通知部９３は、ＰＣに印刷装置の印刷予定を確認するためのメッセージを生成する部分である。消費電力モード通知部９３は、第二タイマ９５から消費電力モード移行時間に達したとの通知を受けると、電力制御部９４から現在の消費電力モードを取り込み、第三記憶部９６から読み出された宛先設定モード情報に従って、宛先を決定し、消費電力モード通知情報を生成する。生成された消費電力モード通知情報は通信部１１を介して、ＰＣに送信される。なお、送信先のＰＣからの応答には、時間制限を設けるので、その時間制限を計時するために、消費電力モード通知部９３は、消費電力モード通知情報を通信部１１に伝達した際に、第一タイマ１５にモード通知信号を出力する。
【００８１】
電力制御部９４は、印刷装置９の消費電力モードを制御する部分である。実施例２で電力制御部９４は、判断部１４から移行する消費電力モードを取り込み第二タイマ９５に後述する消費電力モード移行信号を出力する。
【００８２】
第一タイマ１５、第二タイマ９５及び第三タイマ２４は、所定の時間を計測するためのカウントダウン方式の計時手段である。第二タイマ９５は、第三記憶部９６に格納された消費電力モード移行時間に達したか否かを計時する手段であり、印刷部２３２から印刷終了の通知を受けるか、電力制御部９４から消費電力モード移行信号を受けるとカウントダウンを開始する。第二タイマ９５は、所定時間に達してカウントダウンが完了すると消費電力モード移行時間に達したことを消費電力モード通知部９３に通知する。
なお、カウントダウン中に解析部９１から印刷データ受信の通知を受けるとカウントダウンを停止し、カウンタをリセットする。
【００８３】
次に、受信履歴情報について説明する。
図１９は、実施例２の受信履歴情報の説明図である。
図に示すように、Ｎｏは、シリアル番号を示し、送信元には、印刷データを送信したＰＣの名称が記載され、印刷枚数には、印刷された枚数が記載されている。シリアル番号、ＰＣ名称は、印刷データとともに送信されてくる。
【００８４】
次に、受信履歴集計情報について説明する。
図２０は、実施例２の受信履歴集計情報の説明図である。
図に示すように、ＰＣ欄には、印刷データを送信したＰＣの名称が記されており、総印刷枚数欄には、消費電力モード通知部９３が第一記憶部９２から読み取った受信履歴情報を集計して生成された各ＰＣの総印刷枚数が記載されている。印刷ジョブ欄には、消費電力モード通知部９３が第一記憶部９２から読み取った受信履歴情報を集計して生成された各ＰＣの印刷ジョブ数が記載されている。
【００８５】
図２１は、実施例２のダイアログ表示についての説明図である。
図に示すように、プリンタのパワーセーブのタイトルでメッセージが送信され、本文には、印刷装置９が現在の消費電力モードがパワーセーブモードであることを表示し、１０分以内に印刷予定があるかどうかを伺うメッセージが記載されている。図２１で示す画面の下部にはそのメッセージに対してはい（Ｙ）７０１、いいえ（Ｎ）７０２の回答を印刷装置９に送信するための釦が表示されている。また、このメッセージにはタイムアウトまでの時間が含まれており、画面上では例えば７秒と表示されている。
【００８６】
なお、このダイアログ表示は、タイムアウトの時点で自動的にクローズされる。また、ユーザが、タイムアウト前に回答を送信しなかった場合には、印刷装置９はそのユーザの回答をいいえ（Ｎ）７０２と判断するように取り決めておく。
【００８７】
次に、実施例２の消費電力モード移行テーブルについて説明する。
図２２は、実施例２の消費電力モード移行テーブルの説明図である。
図に示すように、現在のモード欄には、図４で説明した消費電力モードのモード２からモード４が記載されており、ＰＣからの回答結果に応じて、次に移行する消費電力モードが記載されている。テーブル中にある印刷予定率Ｘは下記で定義される。
Ｘ＝（１０分以内に印刷装置９で印刷する予定が有るＰＣ数）／（通知ＰＣ数）
この式から、印刷予定率Ｘを計算し、図２２に示すテーブルで次に移行する消費電力モードを判断する。
なお、図２２に示す消費電力モード移行テーブルは、一例であり、例えば、閾値を細かく設定し、移行モードを印刷優先もしくは省電力優先の設定にすることも可能である。
【００８８】
次に、宛先設定モード情報について説明する。
図２３は、実施例２の宛先設定モード情報の説明図である。
図に示すように、Ｎｏには、宛先設定モードを分類するための番号（１〜５）が記載されており、選択を示す○×によって、いずれか一つが選択される。
【００８９】
図に示すモード欄には各宛先設定モードの名称が記載されている。ここで、各宛先設定モードについて説明する。
図に示す全てとは、ネットワーク８に接続されている全てのＰＣを宛先とするモードである。図に示す宛先限定とは、第三記憶部９６に格納されている宛先情報を選択するモードである。図に示す履歴とは、第一記憶部９２に格納されている受信履歴情報から過去に印刷実行記録のあるＰＣを全宛先対象とするモードである。図に示す枚数優先とは、第一記憶部９２に格納されている受信履歴情報から集計して生成された受信履歴集計情報から印刷枚数の多い、上位数台のＰＣを宛先とするモードである。なお、引数に記載の数字が対象とするＰＣ台数を示す。図に示すジョブ数優先とは、第一記憶部９２に格納されている受信履歴情報から集計して生成された受信履歴集計情報から印刷ジョブ数の多い、上位数台のＰＣを宛先とするモードである。なお、引数に記載の数字が対象とするＰＣの台数を示す。
【００９０】
次に、実施例２の消費電力モード移行の動作について説明する。
図２４は、実施例２の消費電力モード移行開始までの動作フローチャートである。
以下にステップＳ５１からステップＳ５６までをステップ順に図１８を併用しながら説明する。
【００９１】
（ステップＳ５１）
第二タイマ９５は、印刷部２３２からの印刷終了の通知で、消費電力モード移行時間のカウントダウンを開始する。
【００９２】
（ステップＳ５２）
カウントダウン中に印刷データ受信の通知を受ければ、ステップＳ５３に進み、カウントダウンが完了して消費電力モード移行時間に達した場合にはステップＳ５４に進む。
【００９３】
（ステップＳ５３）
解析部９１から画像処理部２３１に印刷データが送出され、画像処理部２３１は、受け入れた印刷データを画像データに変換し、印刷部２３２に送信する。そして、印刷部２３２は、印刷動作を開始する。
【００９４】
（ステップＳ５４）
消費電力モード移行時間が経過したので消費電力モードを移行するための処理を行う。
【００９５】
（ステップＳ５５）
第二タイマ９５は、カウントダウン中に、解析部９１から印刷データ受信の通知を受けるとカウントダウンを停止し、カウンタをリセットする。
【００９６】
次に、実施例２の消費電力モード移行の具体的な動作について説明する。
図２５は、実施例２の消費電力モード移行の具体的な動作のフローチャートである。
なお、ステップＳ６１とステップＳ６３からステップＳ６９までは、実施例１のステップＳ１１とステップＳ１３からステップＳ１９までと同様なので説明を省略する。
以下にステップＳ６２について図１８を併用しながら説明する。
【００９７】
（ステップＳ６２）
通知を受けた消費電力モード通知部９３は、電力制御部９４から現在の消費電力モードを受信し、第三記憶部９６に格納されている宛先設定モード情報に従って宛先を決定し、消費電力モード通知情報を生成し、通信部１１に送出する。
【００９８】
次に、上述したステップＳ６２について具体的に説明する。
図２６は、実施例２の消費電力モード通知の動作のフローチャートである。
【００９９】
（ステップＳ７１）
消費電力モード通知部９３は、第三記憶部９６に格納されている宛先設定モード情報を読み込む。
【０１００】
（ステップＳ７２）
消費電力モード通知部９３は、宛先設定モード情報の選択されているモードが１かどうかを判定する。１であればステップＳ７３に進み、１以外であれば、ステップＳ７４に進む。
【０１０１】
（ステップＳ７３）
消費電力モード通知部９３は、宛先設定モード情報の選択されているモードが１であれば、宛先Ｄ１を空欄にした消費電力モード通知情報を生成する。
【０１０２】
（ステップＳ７４）
消費電力モード通知部９３は、宛先設定モード情報の選択されているモードが２かどうかを判定する。２であればステップＳ７５に進み、１、２以外であれば、ステップＳ７６に進む。
【０１０３】
（ステップＳ７５）
消費電力モード通知部９３は、宛先設定モード情報の選択されているモードが２であれば、第三記憶部９６に格納されている宛先情報を読み込み、宛先Ｄ１に書き込み消費電力モード通知情報を生成する。
【０１０４】
（ステップＳ７６）
消費電力モード通知部９３は、宛先設定モード情報の選択されているモードが１、２以外であれば、消費電力モード通知部９３は、第一記憶部９２から受信履歴情報を読み出して集計し、履歴集計情報を生成する。
【０１０５】
（ステップＳ７７）
消費電力モード通知部９３は、宛先設定モード情報の選択されているモードが３、４、５のどれかを判定する。３であればステップＳ７８に進み、４であれば、ステップＳ７９に進み、５であればステップＳ８０に進む。
【０１０６】
（ステップＳ７８）
消費電力モード通知部９３は、宛先設定モード情報の選択されているモードが３であれば、生成された履歴集計情報から、過去に印刷経験のあるＰＣ全てを宛先とした消費電力モード通知情報を生成する。
【０１０７】
（ステップＳ７９）
消費電力モード通知部９３は、宛先設定モード情報の選択されているモードが４であれば、生成された履歴集計情報から、過去に印刷枚数の多いＰＣを引数に記載された台数を上位から選択して宛先とした消費電力モード通知情報を生成する。
【０１０８】
（ステップＳ８０）
消費電力モード通知部９３は、宛先設定モード情報の選択されているモードが５であれば、生成された履歴集計情報から、過去に印刷ジョブ数の多いＰＣを引数に記載された台数を上位から選択して宛先とした消費電力モード通知情報を生成する。
【０１０９】
（ステップＳ８１）
消費電力モード通知部９３は、生成された消費電力モード通知情報を通信部１１を介して各ＰＣに送信する。
【０１１０】
以上のように実施例２では、非稼動時間が一定時間を超えて、印刷装置が、省電力モードに移行する前に、印刷予定があるかどうかを確認する時に、宛先であるＰＣを、過去の印刷実行回数、印刷総枚数、最近の印刷履歴等から選択するようにし、その回答結果によっては、例えば、省電力モードから稼動モードに移行させるようにしたので、印刷処理完了までの時間が短くなる。
【実施例３】
【０１１１】
本実施例では、実施例１と同様な機能を有しながら、印刷装置に接続された上位装置の台数に応じて消費電力モード移行時間を変更できるようにした。使用する上位装置が多ければ、印刷機会が増えることから消費電力モード移行時間を長くし、使用する上位装置が少なければ、印刷機会が減ることから消費電力モード移行時間を短くする。これにより、ユーザが少なければ、短時間で省電力モードに移行することで、省電力の点で効果的である。また、ユーザが多ければ、パワーセーブモードへの移行の可能性が低く、印刷完了時間が掛からないといった効果を得る。なお、本構成は、実施例１と同様の構成で実現できるので、構成の説明は省略する。
【０１１２】
以下に実施例３の消費電力モード移行時間について説明する。
図２７は、実施例３の待機モードからパワーセーブモードへの消費電力モード移行時間テーブルの説明図である。
図に示すように、接続数は、印刷装置が認識した上位装置の台数を示し、移行時間には、待機モードからパワーセーブモードへの移行時間が記載されている。例えば、印刷装置に接続されたＰＣの台数が８台であれば、待機モードからパワーセーブモードへの移行時間は１５分である事を示す。
【０１１３】
図２８は、実施例３の待機モードからディープスリープモードへの消費電力モード移行時間テーブルの説明図である。
図に示すように、接続数には、印刷装置が認識した上位装置の台数を示し、移行時間には、待機モードからディープスリープモードへの移行時間が記載されている。例えば、印刷装置に接続されたＰＣの台数が８台であれば、待機モードからディープスリープモードへの移行時間は３０分である事を示す。なお、これらのテーブルは、予めプログラム設定値として定義されるものであるが、ユーザによる入力が可能な構成でも構わない。
【０１１４】
次に、実施例３の消費電力モード移行の動作について説明する。
図２９は、実施例３の消費電力モード移行開始までの動作フローチャートである。
なお、図に示すステップＳ９２からステップＳ９５は、実施例１のステップＳ２からステップＳ５までと同様なので説明を省略する。よって、ここではステップＳ９１のみについて説明する
【０１１５】
（ステップＳ９１）
第二タイマ１７は、印刷部２３２からの印刷終了の通知で、現在のＰＣ接続数に応じた消費電力モード移行時間を消費電力モード移行時間テーブルから選択し、カウントダウンを開始する。
【０１１６】
以上のように実施例３では、印刷装置に接続された上位装置の台数に応じて消費電力モード移行時間を変更できるようにした。これにより、ユーザが少なければ、短時間で省電力モードに移行することで、省電力の点で効果的である。また、ユーザが多ければ、パワーセーブモードへの移行の可能性が低く、印刷完了時間が掛からないといった効果を得る。
【産業上の利用可能性】
【０１１７】
なお、本実施例では印刷装置を例に説明したが、ファクシミリ装置や複写機、スキャナー装置などのＰＣと接続する画像処理装置にも適用できる。
【０１１８】
また、本実施例ではタイマを用いたが、時計を持ち所定の時刻になると消費電力モードの移行を行う構成にしても同様の効果を得る。
【図面の簡単な説明】
【０１１９】
【図１】実施例１の構成ブロック図である。
【図２】本発明のシステム構成図である。
【図３】本発明の稼動モードから省電力モードへの移行を実施するか否かを決定する動作の概略説明図である。
【図４】実施例１の消費電力モードの説明図である。
【図５】実施例１の消費電力モード通知情報のデータ構造の説明図である。
【図６】実施例１の消費電力モード通知情報の具体例の説明図である。
【図７】実施例１のダイアログ表示の説明図である。
【図８】実施例１の応答データの構造の説明図である。
【図９】実施例１の応答データの具体例の説明図である。
【図１０】実施例１の応答情報の説明図である。
【図１１】実施例１の消費電力モード移行テーブルの説明図である。
【図１２】実施例１の宛先情報の説明図である。
【図１３】実施例１の消費電力モード移行開始までの動作フローチャートである。
【図１４】実施例１の消費電力モード移行の具体的な動作のフローチャートである。
【図１５】実施例１の応答待ち時間の設定に関する動作フローチャートある。
【図１６】実施例１の表示部の電力供給に関する動作フローチャートである。
【図１７】実施例２のシステム構成図である。
【図１８】実施例２の構成ブロック図である。
【図１９】実施例２の受信履歴情報の説明図である。
【図２０】実施例２の受信履歴集計情報の説明図である。
【図２１】実施例２のダイアログ表示の説明図である。
【図２２】実施例２の消費電力モード移行テーブルの説明図である。
【図２３】実施例２の宛先設定モード情報の説明図である。
【図２４】実施例２の消費電力モード移行開始までの動作フローチャートである。
【図２５】実施例２の消費電力モード移行の具体的な動作のフローチャートである。
【図２６】実施例２の消費電力モード通知の動作のフローチャートである。間テーブルの説明図である。
【図２７】実施例３の待機モードからパワーセーブモードへの消費電力モード移行時間テーブルの説明図
【図２８】実施例３の待機モードからディープスリープモードへの消費電力モード移行時間テーブルである。
【図２９】実施例３の消費電力モード移行開始までの動作フローチャートである。
【符号の説明】
【０１２０】
１、９  印刷装置
２、３、４、５、６、７  ＰＣ
８  ネットワーク
１１  通信部
１２、９１  解析部
１３、９２  第一記憶部
１４  判断部
１５  第一タイマ
１６  第二記憶部
１７、９５  第二タイマ
１８、９４  電力制御部
１９、９３  消費電力モード通知部
２０  操作部
２１、９６  第三記憶部
２３  印刷制御部
２４  第三タイマ
２０１  表示部
２０２  入力部
２３１  画像処理部
２３２  印刷部
【図１】
2009178855.tif 000003
【図２】
2009178855.tif 000004
【図３】
2009178855.tif 000005
【図４】
2009178855.tif 000006
【図５】
2009178855.tif 000007
【図６】
2009178855.tif 000008
【図７】
2009178855.tif 000009
【図８】
2009178855.tif 000010
【図９】
2009178855.tif 000011
【図１０】
2009178855.tif 000012
【図１１】
2009178855.tif 000013
【図１２】
2009178855.tif 000014
【図１３】
2009178855.tif 000015
【図１４】
2009178855.tif 000016
【図１５】
2009178855.tif 000017
【図１６】
2009178855.tif 000018
【図１７】
2009178855.tif 000019
【図１８】
2009178855.tif 000020
【図１９】
2009178855.tif 000021
【図２０】
2009178855.tif 000022
【図２１】
2009178855.tif 000023
【図２２】
2009178855.tif 000024
【図２３】
2009178855.tif 000025
【図２４】
2009178855.tif 000026
【図２５】
2009178855.tif 000027
【図２６】
2009178855.tif 000028
【図２７】
2009178855.tif 000029
【図２８】
2009178855.tif 000030
【図２９】
2009178855.tif 000031